(57)【要約】【課題】本発明は、複数の信号を伝送することができるコネクタアセンブリを提供することを目的とする。【解決手段】本発明のコネクタアセンブリは、コネクタプラグと、コネクタソケットと、を備える。コネクタプラグは、外表面を備え、コネクタソケットは、内表面を備え、外表面は、二つの区域と、絶縁帯とを備え、二つの区域の間に絶縁帯が設置されることで二つの区域を互いに絶縁し、各区域には、一種類の信号を伝送することができるプラグ信号伝送線が設けられ、内表面は、二つの部分と、絶縁帯と、を備え、二つの部分の間に絶縁帯が設置されることで二つの部分を互いに絶縁し、各部分には、プラグ信号伝送線と対応する位置にソケット信号伝送線が設けられ、コネクタプラグをコネクタソケットに挿し込むとプラグ信号伝送線を対応するソケット信号伝送線と接触させて、信号を伝送する。【選択図】図２
2013219030.tif 000002
【特許請求の範囲】
【請求項１】
コネクタプラグと、コネクタソケットと、を備え、前記コネクタプラグは、外表面を備え、前記コネクタソケットは、内表面を備えるコネクタアセンブリにおいて、
前記外表面は、二つの区域と、絶縁帯と、を備え、前記二つの区域の間には、前記絶縁帯が設置されて前記二つの区域を互いに絶縁し、各区域には、一種類の信号を伝送することができるプラグ信号伝送線が設けられ、前記内表面は、二つの部分と、絶縁帯と、を備え、前記二つの部分の間には、前記絶縁帯が設置されて前記二つの部分を互いに絶縁し、各部分には、前記プラグ信号伝送線と対応する位置にソケット信号伝送線が設けられ、前記コネクタプラグを前記コネクタソケットに挿し込むと、前記プラグ信号伝送線は、対応するソケット信号伝送線と接触して信号を伝送させることを特徴とするコネクタアセンブリ。
【請求項２】
前記コネクタプラグは、円錐台であり、前記二つの区域は、第一区域と、第二区域と、を備え、前記第一区域は、前記第二区域の上に位置し、前記第一区域には、二つの分割槽によって第一プラグ信号伝送面が形成され、前記第二区域には、二つの分割槽によって第二プラグ信号伝送面が形成され、前記第一プラグ信号伝送面及び前記第二プラグ信号伝送面は、同一直線上に位置しないように設置され、前記プラグ信号伝送線は、第一プラグ信号伝送線と、第二プラグ信号伝送線と、を備え、前記第一プラグ信号伝送線は、第一プラグ信号伝送面に設置され、前記第二プラグ信号伝送線は、第二プラグ信号伝送面に設置されることを特徴とする請求項１に記載のコネクタアセンブリ。
【請求項３】
前記第一プラグ信号伝送線及び前記第二プラグ信号伝送線は、略アーチ型であることを特徴とする請求項２に記載のコネクタアセンブリ。
【請求項４】
前記コネクタソケットは、円錐台であり、前記二つの部分は、第一部分と、第二部分と、を備え、前記第一部分は、前記第二部分の上に位置し、前記第一部分には、二つの分割槽によって第一ソケット信号伝送面が形成され、前記第二部分には、二つの分割槽によって第二ソケット信号伝送面が形成され、前記第一ソケット信号伝送面及び前記第二ソケット信号伝送面は、同一直線上に位置しないように設置され、前記ソケット信号伝送線は、第一ソケット信号伝送線と、第二ソケット信号伝送線と、を備え、前記第一ソケット信号伝送線は、第一ソケット信号伝送面に設置され、前記第二ソケット信号伝送線は、第二ソケット信号伝送面に設置されることを特徴とする請求項２に記載のコネクタアセンブリ。
【請求項５】
前記第一ソケット信号伝送線及び前記第二ソケット信号伝送線は、略アーチ型であることを特徴とする請求項４に記載の電子装置。
【発明の詳細な説明】
【技術分野】
【０００１】
本発明は、コネクタアセンブリに関し、特に同時に複数の信号を伝送することができるコネクタアセンブリに関するものである。
【背景技術】
【０００２】
現在、パソコンの機能の拡張が望まれている。一般的には、パソコンと外部の設備とは、各種のコネクタによって各種の信号を伝送する。信号を伝送するために用いられるコネクタとしては、例えば、映像信号を伝送するＡＧＰコネクタ、音声信号を伝送するオーディオコネクタ、ＵＳＢに対して信号を伝送するＵＳＢコネクタ等がある。また、外部の設備にも上記のコネクタに対応するコネクタが各種設置されており、外部の設備とパソコンとを接続する際には、パソコンのコネクタと外部の設備の各種コネクタとを異なる信号線を介してそれぞれ接続する。つまり、外部の設備とパソコンとの間で異なる信号を伝送する際、外部の設備及びパソコンに複数の異なるコネクタを各種設置しなければならないので、コストが高くなり、且つ使用する空間も大きい。
【発明の概要】
【発明が解決しようとする課題】
【０００３】
以上の問題点に鑑みて、本発明は、複数種の信号を伝送することができるコネクタアセンブリを提供することを目的とする。
【課題を解決するための手段】
【０００４】
上記の課題を解決するために、本発明のコネクタアセンブリは、コネクタプラグと、コネクタソケットと、を備える。前記コネクタプラグは、外表面を備え、前記コネクタソケットは、内表面を備え、前記外表面は、二つの区域と、絶縁帯と、を備え、前記二つの区域の間に絶縁帯が設置されることで二つの区域を互いに絶縁し、各区域には、一種類の信号を伝送することができるプラグ信号伝送線が設けられ、前記内表面は、二つの部分と、絶縁帯と、を備え、前記二つの部分の間に前記絶縁帯が設置されることで二つの部分を互いに絶縁し、各部分には、前記プラグ信号伝送線と対応する位置にソケット信号伝送線が設けられ、前記コネクタプラグを前記コネクタソケットに挿し込むと、前記プラグ信号伝送線を対応するソケット信号伝送線と接触させて、信号を伝送する。
【発明の効果】
【０００５】
本発明のコネクタアセンブリは、従来のコネクタアセンブリと比べて、コネクタプラグの外表面に複数の区域を設け、コネクタソケットの内表面に複数の部分を設けることで、同時に二つ或いは二つ以上の種類の信号を伝送することができるため、コストを削減でき、且つ使用空間も減少させることができる。
【図面の簡単な説明】
【０００６】
【図１】本発明に係るコネクタアセンブリのコネクタプラグを示す図である。
【図２】図１に示すコネクタアセンブリの断面図である。
【発明を実施するための形態】
【０００７】
以下、図面に基づいて、複数の信号を伝送することができるコネクタアセンブリについて詳細に説明する。
【０００８】
図１に示したように、本発明に係るコネクタプラグ２０は、円錐台状であり、且つ外表面２１を備える。また、コネクタプラグ２０は、コネクタプラグ２０の中心軸方向に沿って複数の区域に分けられる。本実施形態において、外表面２１は、第一区域２３と、第二区域２５と、第三区域２７と、に分けられる。第一区域２３は、コネクタプラグ２０の最上部に位置し、第三区域２７は、コネクタプラグ２０の最下部に位置し、第二区域２５は、第一区域２３と第三区域２７との間に位置する。第一区域２３と第二区域２５とは、絶縁帯２８によって互いに間隔をあけて設置されているため絶縁されており、第二区域２５と第三区域２７とも、別の絶縁帯２８によって互いに間隔をあけて設置されているため絶縁されている。
【０００９】
図１における第一区域２３の右側部分には、二つの傾斜した分割槽（図示せず）によって、第一プラグ信号伝送面２３１が形成されている。この第一プラグ信号伝送面２３１には、略アーチ型の複数の第一プラグ信号伝送線２３３が、互いに平行となるように設けられ、この複数の第一プラグ信号伝送線２３３は、第一種信号（例えばパソコンとＵＳＢとの間で送受信される信号）を伝送することに用いられる。
【００１０】
第二区域２５の中央部分には、二つの傾斜した分割槽（図示せず）によって、第二プラグ信号伝送面２５１が形成されている。この第二プラグ信号伝送面２５１には、略アーチ型の複数の第二プラグ信号伝送線２５３が、互いに平行となるように設けられ、この複数の第二プラグ信号伝送線２５３は、第二種信号（例えば映像信号等）を伝送することに用いられる。
【００１１】
第三区域２７の左側部分には、二つの傾斜した分割槽（図示せず）によって、第三プラグ信号伝送面２７１が形成されている。この第三プラグ信号伝送面２７１には、略アーチ型の複数の第三プラグ信号伝送線２７３が、互いに平行となるように設けられ、この複数の第三プラグ信号伝送線２７３は、第三種信号（例えば音声信号等）を伝送することに用いられる。
【００１２】
従って、図１からわかるように、第一プラグ信号伝送面２３１と、第二プラグ信号伝送面２５１と、第三プラグ信号伝送面２７１と、は、コネクタプラグ２０の軸方向において、同一直線上に位置しないように、すなわち周方向の位置が異なるように、それぞれ設置されている。
【００１３】
コネクタプラグ２０の外表面２１には、欠け口２９が設けられる。
【００１４】
図２に示したように、コネクタソケット３０は、コネクタプラグ２０と組み合わせて使用される。コネクタソケット３０は、略円錐形の孔であり、コネクタソケット３０は、内表面３１を備える。また、コネクタソケット３０は、コネクタソケット３０の中心軸方向に沿って複数の部分に分けられている。本実施形態において、内表面３１は、第一部分３３と、第二部分３５と、第三部分３７と、に分けられ、第一部分３３は、コネクタソケット３０の最上部に位置し、第三部分３７は、コネクタソケット３０の最下部に位置し、第二部分３５は、第一部分３３と第三部分３７との間に位置する。第一部分３３と第二部分３５とは、絶縁帯３８によって互いに間隔をあけて設置されることで絶縁されており、第二部分３５と第三部分３７とも、別の絶縁帯３８によって互いに間隔をあけて設置されることで絶縁されている。
【００１５】
図２における第一部分３３の右側部分には、二つの傾斜した分割槽（図示せず）によって、第一ソケット信号伝送面３３１が形成され、この第一ソケット信号伝送面３３１には、ややアーチ型の複数の第一ソケット信号伝送線３３３が互いに平行となるように設けられ、且つ第一プラグ信号伝送線２３３と組み合わせられることによって、第一種信号を伝送する。
【００１６】
第二部分３５の中央部分には、二つの傾斜した分割槽（図示せず）によって、第二ソケット信号伝送面３５１が形成され、この第二ソケット信号伝送面３５１には、略アーチ型の複数の第二ソケット信号伝送線３５３が互いに平行となるように設けられ、且つ第二プラグ信号伝送線２５３と組み合わせられることによって、第二種信号を伝送する。
【００１７】
第三部分３７の左側部分には、二つの傾斜した分割槽（図示せず）によって、第三ソケット信号伝送面３７１が形成され、この第三ソケット信号伝送面３７１には、略アーチ型の複数の第三ソケット信号伝送線３７３が互いに平行となるように設けられ、且つ第三プラグ信号伝送線２７３と組み合わせられることによって、第三種信号を伝送する。
【００１８】
従って、図２からわかるように、第一ソケット信号伝送面３３１と、第二ソケット信号伝送面３５１と、第三ソケット信号伝送面３７１と、は、コネクタソケット３０の軸方向において、同一直線上に位置しないように、すなわち周方向の位置が異なるように、それぞれ設置されている。
【００１９】
コネクタソケット３０の内表面３１には、突起３９が設けられる。
【００２０】
コネクタプラグ２０とコネクタソケット３０とを組み合わせて使用する際は、まず、コネクタプラグ２０をコネクタソケット３０に挿し込み、突起３９を欠け口２９に収容させる。次いで、第一プラグ信号伝送線２３３と第一ソケット信号伝送線３３３とを接触させ、第二プラグ信号伝送線２５３と第二ソケット信号伝送線３５３とを接触させ、第三プラグ信号伝送線２７３と第三ソケット信号伝送線３７３とを接触させる。これにより、同時に三つの信号を伝送することができる。
【００２１】
上記のことからわかるように、本発明に係るコネクタアセンブリは、コネクタプラグ２０の外表面２１に複数の区域を設け、コネクタソケット３０の内表面３１に複数の部分を設けることで、同時に二つ或いは二つ以上の種類の信号を伝送することができる。
【符号の説明】
【００２２】
２０  コネクタプラグ
２１  外表面
２３  第一区域
２３１  第一プラグ信号伝送面
２３３  第一プラグ信号伝送線
２５  第二区域
２５１  第二プラグ信号伝送面
２５３  第二プラグ信号伝送線
２７  第三区域
２７１  第三プラグ信号伝送面
２７３  第三プラグ信号伝送線
２８、３８  絶縁帯
２９  欠け口
３０  コネクタソケット
３１  内表面
３３  第一部分
３３１  第一ソケット信号伝送面
３３３  第一ソケット信号伝送線
３５  第二部分
３５１  第二ソケット信号伝送面
３５３  第二ソケット信号伝送線
３７  第三部分
３７１  第三ソケット信号伝送面
３７３  第三ソケット信号伝送線
３９  突起
【図１】
2013219030.tif 000003
【図２】
2013219030.tif 000004